(57)【要約】      （修正有）【課題】複数枚のスクリーンクロスを巻上げるか、又はその中の一枚を展開することができるスクリーン巻上げ装置を提供する。【解決手段】スクリーン巻上げ装置は特別なスクリーンクロスを備えたスクリーン巻上げ装置に関し、スクリーン巻上げ装置は、特別なスクリーンクロスの上端を固定する第１の巻取りドラムと、特別なスクリーンクロスの下端を固定する第２の巻取りドラムとをさらに備えており、第２の巻取りドラム内には、特別なスクリーンクロスを巻取り可能なトーションスプリングと、第２の巻取りドラムを上昇させる位置規制手段とが設けられている。【選択図】図３Ａ
0003170590.tif 000002
【実用新案登録請求の範囲】
【請求項１】
特別なスクリーンクロス（２０）を備えたスクリーン巻上げ装置であって、前記スクリーン巻上げ装置は、前記特別なスクリーンクロス（２０）の上端を固定する第１の巻取りドラム（１）と、前記特別なスクリーンクロス（２０）の下端を固定する第２の巻取りドラム（３９）とをさらに備えており、前記第２の巻取りドラム（３９）内には、前記特別なスクリーンクロス（２０）を巻取り可能なトーションスプリング（３７）と、前記第２の巻取りドラム（３９）を上昇させる位置規制手段（１０）とが設けられていることを特徴とするスクリーン巻上げ装置。
【請求項２】
前記スクリーン巻上げ装置は、カバー金属板（５１）を備えており、前記カバー金属板（５１）の両端が左側屈曲金属板（４９）における「Ｚ」字状の第１のステー（４９１）及び右側屈曲金属板（５０）における「Ｚ」字状の第２のステー（５０１）にそれぞれ固定されており、前記第１のステー（４９１）は結合される第１の屈曲板（４９２）と直角をなしており、前記第１の屈曲板（４９２）は結合される第３のステー（４９３）と直角をなしており、前記第２のステー（５０１）は結合される第２の屈曲板（５０２）と直角をなしており、前記第２の屈曲板（５０２）は結合される第４のステー（５０３）と直角をなしており、前記右側屈曲金属板（５０）は左側屈曲金属板（４９）の鏡像となっており、前記第１の屈曲板（４９２）及び第２の屈曲板（５０２）上には、対称で固定された二本の円柱状金属シャフト（３６）を有していることを特徴とする請求項１に記載のスクリーン巻上げ装置。
【請求項３】
前記円柱状金属シャフト（３６）は段差状の円柱状シャフト部を含み、前記段差状の円柱状シャフトの外側には回動自在のナイロン軸受（１７）が設けられており、前記ナイロン軸受（１７）の外面には、第２の巻取りドラム（３９）内のリブ（３９１）及び端面にそれぞれ固定される溝（１７１）及び突出した端縁（１７２）を有していることを特徴とする請求項２に記載のスクリーン巻上げ装置。
【請求項４】
前記左側の円柱状金属シャフト（３６）の中央の四角形穴（３６１）に角柱状金属シャフト（３２）の左端（３２２）が固定されており、前記角柱状金属シャフト（３２）はトーションスプリング（３７）の右端の四角形穴（３７１）に挿入されており、前記トーションスプリング（３７）の左端延出端（３７２）は前記左側のナイロン軸受（１７）の右側穴（１７５）に固定されていることを特徴とする請求項３に記載のスクリーン巻上げ装置。
【請求項５】
前記位置規制手段（１０）は、前記角柱状金属シャフト（３２）の右端穴（３２１）に固定結合される金属コネクタ（１４）と、右端が角柱部（３１１）として切削され前記右側の円柱状金属シャフト（３６）の中央の四角形穴（３６１）に固定されて左端穴（３１２）が前記金属コネクタ（１４）に固定されているねじ付き金属シャフト（３１）と、外部に前記第２の巻取りドラム（３９）内のリブ（３９１）に係合可能な溝（１３２）を有しており、そして内部に前記金属コネクタ（１４）の外側で回動可能な円形穴（１３１）を有しているナイロン支持回転体（１３）と、外部に前記第２の巻取りドラム（３９）内のリブ（３９１）に沿って摺動可能である溝（１２２）を有しており、中央に前記ねじ付き金属シャフト（３１）に沿って回動するねじ溝（１２１）を有しているカウンタ金属回転体（１２）と、を備えており、前記カウンタ金属回転体（１２）が前記金属コネクタ（１４）に離接するときに第２の巻取りドラム（３９）を回動させるか、又は吊上げるとともに上下移動させることを特徴とする請求項１ないし４のいずれか一項に記載のスクリーン巻上げ装置。
【請求項６】
前記カバー金属板（５１）の重量は、右側屈曲金属板（５０）又は左側屈曲金属板（４９）が梃子となり、特別なスクリーンクロス（２０）が支点となって、第２の巻取りドラム（３９）及びその内部部材と概ねバランスがとれた状態となることを特徴とする請求項５に記載のスクリーン巻上げ装置。
【請求項７】
前記トーションスプリング（３７）、カウンタ金属回転体（１２）、ナイロン支持回転体（１３）、及び金属コネクタ（１４）の位置及び重量は、第２の巻取りドラム（３９）が梃子となり、特別なスクリーンクロス（２０）の中央が支点となって、概ねバランスがとれた状態となることを特徴とする請求項５に記載のスクリーン巻上げ装置。
【請求項８】
前記カバー金属板（５１）の両端は両側の「Ｆ」字状アルミ合金レール（５２）の溝（５２２）に沿って縦方向で上下移動するものであり、前記「Ｆ」字状アルミ合金レール（５２）の２つの平面（５２１）はつや消しであることを特徴とする請求項５ないし７のいずれか一項に記載のスクリーン巻上げ装置。
【請求項９】
前記特別なスクリーンクロス（２０）は、窓の高さよりもわずかに高く、少なくとも二枚の異なるクロス生地からなることを特徴とする請求項１に記載のスクリーン巻上げ装置。
【請求項１０】
前記第３のステー（４９３）及び第４のステー（５０３）は各々１つの円形穴（４９３１、５０３１）を有しており、前記円形穴（４９３１、５０３１）は、窓下枠（２）上で同一水平である金属円錐体（５３）に摺動するように落下可能であり、前記第３のステー（４９３）及び第４のステー（５０３）は同時にリベットにてアルミ合金支持金具（５５）を固定することを特徴とする請求項２に記載のスクリーン巻上げ装置。
【考案の詳細な説明】
【技術分野】
【０００１】
本考案はスクリーン巻上げ装置に関し、より具体的には複数枚のスクリーンを巻上げるか、又はその中の一枚を展開することができるスクリーン巻上げ装置に関する。
【背景技術】
【０００２】
一般的なロールスクリーンは、手動巻上げ式及び電動巻上げ式に分けられる。図１に示すものは手動巻上げ式である。粘着テープを用いて、一般的なスクリーンクロス４の上端を第１の巻取りドラム１に固定する。一般的なスクリーンクロス４の下端はボトムバー５に固定されている。使用者がボールチェーンを引っ張り、ボールチェーンが駆動手段を駆動すると、駆動手段は第１の巻取りドラム１を回転させて、一般的なスクリーンクロス４を第１の巻取りドラム１上に巻き取るか、又は一般的なスクリーンクロス４を広げると、第１の巻取りドラム１から繰り出すことができる。このように、使用者は、窓幅に相当する寸法の一枚の一般的なスクリーンクロス４を巻上げるか、又は展開するように選択することができる。
【０００３】
図２に示すものは電動巻上げ式であって、パイプ状のモータで第１の巻取りドラム１を回動させる。使用者は、窓幅に相当する寸法の一枚の一般的なスクリーンクロス４を巻上げるか、又は展開するように選択することができる。
【０００４】
接着剤又は縫製又は超音波溶着により、異なる又は同じスクリーンクロスを一枚の一般的なスクリーンクロス４として接合することができる。
【０００５】
現在のスクリーン巻上げ装置には以下のような欠点がある。従来のスクリーン巻上げ装置は、窓幅に相当する寸法の一枚の一般的なスクリーンクロス４を巻上げるか、又は展開することしかできない。
【考案の概要】
【考案が解決しようとする課題】
【０００６】
本考案が解決すべき技術的課題は、従来技術における上記スクリーン巻上げ装置では一枚のスクリーンクロスを巻上げるか、又は展開することしかできないというものについて、複数枚のスクリーンクロスを巻上げるか、又はその中の一枚を展開することができるスクリーン巻上げ装置を提供するものである。
【課題を解決するための手段】
【０００７】
本考案がその技術的課題を解決すべく採用する技術的手法は次のとおりである。特別なスクリーンクロスを備えたスクリーン巻上げ装置を構成するものであって、前記スクリーン巻上げ装置は、前記特別なスクリーンクロスの上端を固定する第１の巻取りドラムと、前記特別なスクリーンクロスの下端を固定する第２の巻取りドラムとをさらに備えており、前記第２の巻取りドラム内には、前記特別なスクリーンクロスを巻取り可能なトーションスプリングと、前記第２の巻取りドラムを上昇させる位置規制手段とが設けられている。
【０００８】
本考案に係るスクリーン巻上げ装置において、前記スクリーン巻上げ装置は、カバー金属板を備えており、前記カバー金属板の両端が左側屈曲金属板における「Ｚ」字状の第１のステー及び右側屈曲金属板における「Ｚ」字状の第２のステーにそれぞれ固定されており、前記第１のステーは結合される第１の屈曲板と直角をなしており、前記第１の屈曲板は結合される第３のステーと直角をなしており、前記第２のステーは結合される第２の屈曲板と直角をなしており、前記第２の屈曲板は結合される第４のステーと直角をなしており、前記右側屈曲金属板は左側屈曲金属板の鏡像となっており、前記第１の屈曲板及び第２の屈曲板上には、対称で固定された二本の円柱状金属シャフトを有している。
【０００９】
本考案に係るスクリーン巻上げ装置において、前記円柱状金属シャフトは段差状の円柱状シャフト部を含み、前記段差状の円柱状シャフトの外側には回動自在のナイロン軸受が設けられており、前記ナイロン軸受の外面には、第２の巻取りドラム内のリブ及び端面にそれぞれ固定される溝及び突出した端縁を有している。
【００１０】
本考案に係るスクリーン巻上げ装置において、前記左側の円柱状金属シャフトの中央の四角形穴に角柱状金属シャフトの左端が固定されており、前記角柱状金属シャフトはトーションスプリングの右端の四角形穴に挿入されており、前記トーションスプリングの左端延出端は前記左側のナイロン軸受の右側穴に固定されている。
【００１１】
本考案に係るスクリーン巻上げ装置において、前記位置規制手段は、前記角柱状金属シャフトの右端穴に固定結合される金属コネクタと、右端が角柱部として切削され前記右側の円柱状金属シャフトの中央の四角形穴に固定されて左端穴が前記金属コネクタに固定されているねじ付き金属シャフトと、外部に前記第２の巻取りドラム内のリブに係合可能な溝を有しており、そして内部に前記金属コネクタの外側で回動可能な円形穴を有しているナイロン支持回転体と、外部に前記第２の巻取りドラム内のリブに沿って摺動可能である溝を有しており、中央に前記ねじ付き金属シャフトに沿って回動するねじ部を有しているカウンタ金属回転体と、を備えており、前記カウンタ金属回転体のギヤが前記金属コネクタに離接するときに第２の巻取りドラムを回動させるか、又は吊上げるとともに上下移動させる。
【００１２】
本考案に係るスクリーン巻上げ装置において、前記カバー金属板の重量は、右側屈曲金属板又は左側屈曲金属板が梃子となり、特別なスクリーンクロスが支点となって、第２の巻取りドラム及びその内部部材と概ねバランスがとれた状態となる。
【００１３】
本考案に係るスクリーン巻上げ装置において、前記トーションスプリング、カウンタ金属回転体、ナイロン支持回転体、及び金属コネクタの位置及び重量は、第２の巻取りドラムが梃子となり、特別なスクリーンクロスの中央が支点となって、概ねバランスがとれた状態となる。
【００１４】
本考案に係るスクリーン巻上げ装置において、前記カバー金属板の両端は両側の「Ｆ」字状アルミ合金レールの溝に沿って縦方向で上下移動するものであり、前記「Ｆ」字状アルミ合金レールの２つの平面はつや消しである。
【００１５】
本考案に係るスクリーン巻上げ装置において、前記特別なスクリーンクロスは、窓の高さよりもわずかに高く、少なくとも二枚の異なるクロス生地からなる。
【００１６】
本考案に係るスクリーン巻上げ装置において、前記第３のステー及び第４のステーは各々１つの円形穴を有しており、前記円形穴は、窓下枠上で同一水平である金属円錐体に摺動するように落下可能であり、前記第３のステー及び第４のステーは同時にリベットにてアルミ合金支持金具を固定する。
【考案の効果】
【００１７】
本考案のスクリーン巻上げ装置を実施することにより、複数枚のスクリーンクロスを巻上げるか、又はその中の一枚のスクリーンクロスを展開することができるという有益な効果をもたらす。
【図面の簡単な説明】
【００１８】
【図１】従来技術のロールスクリーンの手動巻上げ式の構造概略図。
【図２】従来技術のロールスクリーンの電動巻上げ式の構造概略図。
【図３Ａ】図３ＢのＥ断面概略図。
【図３Ｂ】図３ＡのＤ断面概略図。
【図４】それぞれ本考案のスクリーン巻上げ装置に係る第１の実施例における右側屈曲金属板の平面概略図。
【図５】それぞれ本考案のスクリーン巻上げ装置に係る第１の実施例における右側屈曲金属板の正面概略図。
【図６】それぞれ本考案のスクリーン巻上げ装置に係る第１の実施例における右側屈曲金属板の右側面概略図。
【図７】それぞれ本考案のスクリーン巻上げ装置に係る第１の実施例におけるカバー金属板の正面概略図。
【図８】それぞれ本考案のスクリーン巻上げ装置に係る第１の実施例におけるカバー金属板の右側面概略図。
【図９】それぞれ本考案のスクリーン巻上げ装置に係る第１の実施例における円柱状金属シャフトの正面概略図。
【図１０】それぞれ本考案のスクリーン巻上げ装置に係る第１の実施例における円柱状金属シャフトの右側面概略図。
【図１１】それぞれ本考案のスクリーン巻上げ装置に係る第１の実施例におけるナイロン軸受の正面概略図。
【図１２】それぞれ本考案のスクリーン巻上げ装置に係る第１の実施例におけるナイロン軸受の右側面概略図。
【図１３】それぞれ本考案のスクリーン巻上げ装置に係る第１の実施例における金属コネクタの正面概略図。
【図１４】それぞれ本考案のスクリーン巻上げ装置に係る第１の実施例における金属コネクタの左側面概略図。
【図１５】それぞれ本考案のスクリーン巻上げ装置に係る第１の実施例における第２の巻取りドラムの正面概略図。
【図１６】それぞれ本考案のスクリーン巻上げ装置に係る第１の実施例における第２の巻取りドラムの左側面概略図。
【図１７】それぞれ本考案のスクリーン巻上げ装置に係る第１の実施例におけるカウンタ金属回転体の正面概略図。
【図１８】それぞれ本考案のスクリーン巻上げ装置に係る第１の実施例におけるカウンタ金属回転体の左側面概略図。
【図１９】それぞれ本考案のスクリーン巻上げ装置に係る第１の実施例におけるナイロン支持回転体の正面概略図。
【図２０】それぞれ本考案のスクリーン巻上げ装置に係る第１の実施例におけるナイロン支持回転体の左側面概略図。
【図２１】それぞれ本考案のスクリーン巻上げ装置に係る第１の実施例におけるトーションスプリングの正面概略図。
【図２２】それぞれ本考案のスクリーン巻上げ装置に係る第１の実施例におけるトーションスプリングの右側面概略図。
【図２３】それぞれ本考案のスクリーン巻上げ装置に係る第１の実施例におけるＦ字状アルミ合金レールの平面概略図。
【図２４】それぞれ本考案のスクリーン巻上げ装置に係る第１の実施例におけるＦ字状アルミ合金レールの正面概略図。
【図２５】それぞれ本考案のスクリーン巻上げ装置に係る第１の実施例における金属円錐体の平面概略図。
【図２６】それぞれ本考案のスクリーン巻上げ装置に係る第１の実施例における金属円錐体の正面概略図。
【図２７】それぞれ本考案のスクリーン巻上げ装置に係る第１の実施例におけるナイロンシートの平面概略図。
【図２８】それぞれ本考案のスクリーン巻上げ装置に係る第１の実施例におけるナイロンシートの右側面概略図。
【図２９】それぞれ本考案のスクリーン巻上げ装置に係る第１の実施例におけるねじ付き金属シャフトの正面概略図。
【図３０】それぞれ本考案のスクリーン巻上げ装置に係る第１の実施例におけるねじ付き金属シャフトの右側面概略図。
【図３１】それぞれ本考案のスクリーン巻上げ装置に係る第１の実施例における角柱状金属シャフトの正面概略図。
【図３２】それぞれ本考案のスクリーン巻上げ装置に係る第１の実施例における角柱状金属シャフトの右側面概略図。
【図３３】本考案のスクリーン巻上げ装置に係る第１の実施例におけるステップ１からステップ７の操作概略図。
【図３３Ａ】本考案のスクリーン巻上げ装置に係る第１の実施例におけるステップ１からステップ３にて位置規制手段の各部材が位置する位置概略図。
【図３３Ｂ】本考案のスクリーン巻上げ装置に係る第１の実施例におけるステップ４からステップ７にて位置規制手段の各部材が位置する位置概略図。
【図３３Ｃ】本考案のスクリーン巻上げ装置に係る第１の実施例におけるステップ４からステップ７にて位置規制手段の各部材が位置する位置概略図。
【図３４】本考案のスクリーン巻上げ装置に係る第１の実施例におけるステップ８からステップ１３の操作概略図。
【図３４Ａ】本考案のスクリーン巻上げ装置に係る第１の実施例におけるステップ８からステップ１０にて位置規制手段の各部材が位置する位置概略図。
【図３４Ｂ】本考案のスクリーン巻上げ装置に係る第１の実施例におけるステップ８からステップ１０にて位置規制手段の各部材が位置する位置概略図。
【図３４Ｃ】本考案のスクリーン巻上げ装置に係る第１の実施例におけるステップ１１からステップ１３にて位置規制手段の各部材が位置する位置概略図。
【考案を実施するための形態】
【００１９】
スクリーン巻上げ装置は需要に応じて符号の説明に記載する構成要素を選択使用することができる。
【００２０】
具体的な実施形態における符号と背景技術における符号が同じであれば、同じ物体であることを意味する。
【００２１】
以下に図３Ａ〜図３４Ｃを合わせて、本考案を詳細に説明する。
【００２２】
構成要素１である「第１の巻取りドラム１」はロールスクリーンを手動又は電動巻上げるためのアルミ合金製のドラムである、一般的には粘着テープを用いて、ロールスクリーンをドラム表面に固定する。
【００２３】
構成要素２である「窓下枠２」は一般的な窓の下枠又は床であって、金属円錐体５３を取付けることができる。
【００２４】
構成要素３である「窓縦枠３」は一般的な窓枠又は壁であって、Ｆ字状アルミ合金レール５２を取付けることができる。
【００２５】
構成要素４である「一般的なスクリーンクロス４」は一般的なロールスクリーン生地であって、異なる色、図柄、光透過率などを選択することができる。接着剤又は縫製又は超音波溶着により、異なる又は同じスクリーンを一般的なスクリーンクロス４として接合することができる。
【００２６】
構成要素１２である「カウンタ金属回転体１２」は電気メッキされた薄型の金属製円柱体である。外形は第２の巻取りドラム３９内部の形状と同じであるものの、いくらか細く、第２の巻取りドラム３９内で軽く摺動可能である。外部には、第２の巻取りドラム３９内のリブ３９１に沿って摺動可能である溝１２２を有している。中央には、ねじ付き金属シャフト３１に沿って回動するねじ溝１２１を有している。カウンタ金属回転体１２は金属コネクタ１４に離接することで、第２の巻取りドラム３９を回動させるか、又は吊上げるとともに上下移動することができる。
【００２７】
構成要素１３である「ナイロン支持回転体１３」は薄型のナイロン製円柱体である。外形は第２の巻取りドラム３９内部の形状と同じであるものの、いくらか細く、第２の巻取りドラム３９内で軽く摺動可能である。外部には、第２の巻取りドラム３９内のリブ３９１に沿って摺動可能である溝１３２を有している。中央には、金属コネクタ１４上で回動可能な円形穴１３１を有している。第２の巻取りドラム３９から金属コネクタ１４までの間の圧力を支持する。
【００２８】
構成要素１４である「金属コネクタ１４」は電気メッキされた円柱体である。右端には突出リング１４１を有している。外径１４２はナイロン支持回転体１３の円形穴１３１に嵌合可能である。右側中央の一端には、ねじ付き金属シャフト３１に螺合可能なねじ穴１４３を有している。左側中央には、角柱状金属シャフト３２に嵌合可能な四角形孔１４４を有している。ワイヤを２つの穴１４５に通すことにより、ねじ付き金属シャフト３１、角柱状金属シャフト３２、ワッシャ及びナイロン支持回転体１３を固定する。
【００２９】
構成要素１７である「ナイロン軸受１７」はナイロン製の円形軸受である。外側には、第２の巻取りドラム３９内のリブ３９１及び端面にそれぞれ固定される溝１７１及び突出した端縁１７２を有している。左端中央には、円柱状金属シャフト３６を回動可能な、大きさが異なる２つの同心円穴１７４を有している。右端中央には、ねじ付き金属シャフト３１及び角柱状金属シャフト３２よりも大径の円形穴１７３を有している。左端のナイロン軸受１７は、トーションスプリング３７の延出端３７２を固定可能右側穴１７５を有している。
【００３０】
構成要素２０である「特別なスクリーンクロス２０」は二枚又はそれ以上からなり、それぞれの高さが窓の高さよりもわずかに高く、性質の異なるスクリーンクロスであって、垂直に接合されてなるスクリーンである。特別なスクリーンクロス２０の幅は第２の巻取りドラム３９の幅よりも狭い。
【００３１】
構成要素３１である「ねじ付き金属シャフト３１」は電気メッキされた金属製のねじ付きシャフトである。右端は四角柱３１１として切削されており、左端は左端穴３１２を有している。もし特別なスクリーンクロス２０が窓の高さよりもわずかに高い三枚のスクリーン生地を垂直に接合してなる場合、ねじ付き金属シャフト３１は最短長さで、カウンタ金属回転体１２を回動させて、最小二枚（三枚から一枚減らす）を巻き取ることができる。
【００３２】
構成要素３２である「角柱状金属シャフト３２」は電気メッキされた金属製の角柱状シャフトである。右端には右端穴３２１を有している。
【００３３】
構成要素３６である「金属シャフト３６」は電気メッキされた金属製の円柱状シャフトである。右端３６３が小径とされ、ナイロン軸受１７内の同心円穴１７４で回動させることが可能で、左端が大径とされ、左側屈曲金属板４９又は右側屈曲金属板５０に螺合する２つのねじ穴３６２を有する。中央には、角柱状金属シャフト３２の左端３２２又はねじ付き金属シャフト３１の右端の角柱部３１１を挿入させ得る四角形穴３６１を有している。
【００３４】
構成要素３７である「トーションスプリング３７」は第２の巻取りドラム３９にトルクを付与するトーションスプリング（Ｔｏｒｓｉｏｎ／ｓｐｉｒａｌ／ｐｏｗｅｒ  ｓｐｒｉｎｇ）である。左端は、ナイロン軸受１７の右側穴１７５に挿入されて、さらにクランプ又はタッピングねじで固定される、外側に延出している延出端３７２を有している。右端には、角柱状金属シャフト３２よりもわずかに大きな四角形穴３７１を中央に有している金属ブロックを有している。トーションスプリングが回動するに必要な回転数を減らすべく、例えば１：２のギヤセットを選択的に付加してもよい。
【００３５】
構成要素３９である「第２の巻取りドラム３９」はアルミ合金製のドラムであって、内部に一本又は二本のリブ３９１を有している。
【００３６】
構成要素４９である「左側屈曲金属板４９」において、Ｚ字状の第１のステー４９１は結合される第１の屈曲板４９２と直角をなし、第１の屈曲板４９２は結合される第３のステー４９３と直角をなしている。第１のステー４９１は２つの穴４９１１を有しており、第１の屈曲板４９２は２つの穴４９２１を有しており、第３のステー４９３は大径円形穴４９３１と２つの穴４９３２とを有している。
【００３７】
構成要素５０である「右側屈曲金属板５０」において、Ｚ字状の第２のステー５０１は結合される第２の屈曲板５０２と直角をなし、第２の屈曲板５０２は結合される第４のステー５０３と直角をなしている。第２のステー５０１は２つの穴５０１１を有しており、第２の屈曲板５０２は２つの穴５０２１を有しており、第４のステー５０３は大径円形穴５０３１と２つの穴５０３２とを有している。左側屈曲金属板４９は右側屈曲金属板５０の鏡像である。
【００３８】
構成要素５１である「カバー金属板５１」は長尺状の金属板であって、両端には各々２つの穴５１１を有している。特別なスクリーンクロス２０が第２の巻取りドラム３９を吊上げた後、カバー金属板５１の慣性モーメント（ｍｏｍｅｎｔ  ｏｆ  ｉｎｅｒｔｉａ）は概ね第２の巻取りドラム３９及びその他内部の部材の慣性モーメントと同じとなる。カバー金属板の高さ又は厚みを変更することで、慣性モーメントを調節することができる。左右両端は、Ｆ字状アルミ合金レール５２との衝撃騒音を低減するように、ナイロンカバーで被覆してもよい。またＬ金具又は溝を選択的に用いて強度を高めてもよい。
【００３９】
構成要素５２である「Ｆ字状アルミ合金レール５２」はＦ字状のサイド溝である。カバー金属板５１の左右両端はＵ字状溝５２２に挿入可能となっている。ねじをＵ字状溝５２２に貫通させて、窓縦枠３に固定することができる。２つの平面５２１は例えば黒といったつや消しで、日光の反射を消去している。
【００４０】
構成要素５３である「金属円錐体５３」は皿ねじを穴５３２に貫通させて窓下枠２に固定することができる。底部はワッシャなどで、水平高さを調整することができる。円錐体５３１は右側屈曲金属板５０の大径円形穴５０３１（左側屈曲金属板４９の大径円形穴４９３１）に挿通することができる。
【００４１】
構成要素５４である「ナイロンシート５４」は長方形のナイロン製シートであって、左側屈曲金属板４９（及び右側屈曲金属板５０）と金属円錐体５３との衝撃騒音を低減することができる。ナイロンシート５４は、左側屈曲金属板４９の第３のステー４９３（右側屈曲金属板５０の第４のステー５０３）と位置及び直径が同じである３つの円形穴を有しているが、中央の穴は上向きの平ねじに螺合可能である。ナイロンシート５４は選択的に用いてよい。
【００４２】
構成要素５５である「アルミ合金ステー５５」はアルミ合金のＬ金具であって、左右両端の底部に各々１つの穴を有している。
【００４３】
構成要素５６である「安全起毛シールド５６」はカバー金属板５１の上端に装着されている硬質ナイロン起毛のシールドであって、子供／使用者が不注意により手／指を巻上げ装置に巻き込まれるのを防止することができる。これは選択的に用いてよい。
【００４４】
構成要素５７である「モール５７」は一般的な遮光性のモールであって、カバー金属板５１の底部に取付けられて、カバー金属板５１と窓下枠２との間の隙間を塞ぐものである。モール５７は選択的に用いてよい。
【００４５】
以下は具体的な実施例の１つである。
【００４６】
スクリーン巻上げ装置を組み付けるに当たり、一般的なスクリーンクロス４及びボトムバー５を使用する必要はない。三枚のスクリーンクロス生地を接着剤又はミシン縫製で垂直に連結して特別なスクリーンクロス２０を作成する。接着剤を用いて特別なスクリーンクロス２０の上端を一般的なスクリーン巻上げ装置における第１の巻取りドラム１に固定して、次に特別なスクリーンクロス２０が約３００ｍｍのみ垂れ下がるように、特別なスクリーンクロス２０を第１の巻取りドラム１に巻取る。
【００４７】
ねじ付き金属シャフト３１の左端をカウンタ金属回転体１２のねじ溝１２１に螺入する。ナイロン支持回転体１３の円形穴１３１を金属コネクタ１４の外側１４２に摺動挿入し、ナイロン支持回転体１３の左側にワッシャを介在させる。ねじ付き金属シャフト３１の左端を金属コネクタ１４の右端に螺入する。角柱状金属シャフト３２の右端を金属コネクタ１４の左側の四角形孔１４４に挿入する。ワイヤを金属コネクタ１４上の２つの穴１４５、角柱状金属シャフト３２の右端穴３２１及びねじ付き金属シャフト３１の左端穴３１２に通して、ワッシャ及びこれら３つの部材を固定する。カウンタ金属回転体１２を回動させて、カウンタ金属回転体１２を金属コネクタ１４に近接させる。ここでクロス生地はＮ枚であると仮定する。カウンタ金属回転体１２を回動すると、金属コネクタ１４が離れる。回転数は、第２の巻取りドラム３９が、３００ｍｍを超えて、最上枚（Ｎ―１）の生地を巻き取ることができる回転数となる。
【００４８】
トーションスプリング３７の延出端３７２は左側のナイロン軸受１７の右側穴１７５に固定されて、さらにクランプ又はタッピングねじで固定される。右端の四角形穴３７１に角柱状金属シャフト３２が摺動挿入される。
【００４９】
皿ねじ、スプリングワッシャ及びナットを用いて、円柱状金属シャフト３６及びナイロンシート５４を左側屈曲金属板４９及び右側屈曲金属板５０に固定する。
【００５０】
角柱状金属シャフト３２の左端を左側のナイロン軸受１７に挿通させて、左側の円柱状金属シャフト３６の四角形穴３６１中に挿入する。すでに組み付け済みのねじ付き金属シャフト３１、カウンタ金属回転体１２、金属コネクタ１４、ナイロン支持回転体１３、角柱状金属シャフト３２、トーションスプリング３７及び左側のナイロン軸受１７を、第２の巻取りドラム３９内のリブ３９１を基準として左側からスライドするように挿入する。右側のナイロン軸受１７を第２の巻取りドラム３９の右側に固定する。ねじ付き金属シャフト３１の右端の角柱部３１１を、右側の円柱状金属シャフト３６の四角形穴３６１中に挿入する。
【００５１】
ねじ又はリベットを用いて、カバー金属板５１、ナイロンシート５４及びアルミ合金ステー５５を左側屈曲金属板４９及び右側屈曲金属板５０に固定する。皿ねじを用いて、第２の巻取りドラム３９を貫通して、ナイロン支持回転体１３を固定する。皿ねじが第２の巻取りドラム３９から突出しないように、予めねじ穴の縁をバリ取りしておく。
【００５２】
カウンタ金属回転体１２を回動させて、カウンタ金属回転体１２を金属コネクタ１４に当接させて、トーションスプリング３７にトルクを発生させる。粘着テープで特別なスクリーンクロス２０の下端を第２の巻取りドラム３９に固定する。粘着テープで第２の巻取りドラム３９を左側屈曲金属板４９及び右側屈曲金属板５０に固定する。
【００５３】
設置場所にて関連する一般的なスクリーン巻上げ装置を設置するには、Ｆ字状アルミ合金レール５２のＵ字状溝５２２の位置にて、カバー金属板５１の両端をしっかりと嵌め込む。タッピングねじ又は接着剤でＦ字状アルミ合金レール５２を窓縦枠３に固定する。第２の巻取りドラム３９を緩めて、左側屈曲金属板４９及び右側屈曲金属板５０の粘着テープに固定する。
【００５４】
金属円錐体５３の位置は、右側屈曲金属板５０の大径円形穴５０３１及び左側屈曲金属板４９の大径円形穴４９３１に対応させる。大きめのワッシャで窓下枠２の水平を調節して、さらに金属円錐体５３をねじで窓下枠２上に固定する。
【００５５】
ロールスクリーンの「上端停止位置」を設定する。ロールスクリーンを調節するには、特別なスクリーンクロス２０のＮ枚目の生地が展開するように、第１の巻取りドラム１を回動させる。次にロールスクリーンの「下端停止位置」を設定する。
【００５６】
特別なスクリーンクロス２０が第２の巻取りドラム３９を吊上げるとき、カバー金属板５１の重量は、左側屈曲金属板４９又は右側屈曲金属板５０が梃子となり、特別なスクリーンクロス２０が支点となって、第２の巻取りドラム３９及びその内部部材と概ねバランスがとれた状態となる。一方で、トーションスプリング３７、カウンタ金属回転体１２、ナイロン支持回転体１３、及び金属コネクタ１４の位置及び重量は、第２の巻取りドラム３９が梃子となり、特別なスクリーンクロス２０の中央が支点となって、概ねバランスがとれた状態となる。
【００５７】
需要に応じて、安全起毛シールド５６及びモール５７を選択的に取付ける。
【００５８】
図３３、３３Ａ、３３Ｂ、３３Ｃ、３４、３４Ａ、３４Ｂ、３４Ｃを参照する。特別なスクリーンクロス２０は三枚のクロス生地、上部クロス２０１、中間クロス２０２及び下部クロス２０３を有するものと仮定する。窓の高さは「ｈ」とする。
【００５９】
ステップ１〜３：トーションスプリング（３７）のトルクは第２の巻取りドラム（３９）及び内部部材の重量により生じるトルク未満である。カウンタ金属回転体（１２）は金属コネクタ（１４）に当接している。特別なスクリーンクロス（２０）は第２の巻取りドラム（３９）を吊り下げている。
【００６０】
ステップ４〜７：左側屈曲金属板（４９）及び右側屈曲金属板（５０）は金属円錐体（５３）で停止している。第１の巻取りドラム１が回動して、特別なスクリーンクロス２０を繰り出した後、トーションスプリング（３７）は第２の巻取りドラム（３９）を回動させて、特別なスクリーンクロス（２０）を巻き取ることができる。カウンタ金属回転体（１２）は回動して金属コネクタ（１４）から離れる。
【００６１】
ステップ８〜１０：第１の巻取りドラム１が回動して、特別なスクリーンクロス２０を引き上げた後、特別なスクリーンクロス（２０）が第２の巻取りドラム（３９）を引き上げて回動させる。トーションスプリング（３７）のトルクが特別なスクリーンクロス（２０）により生じるトルク未満となる。カウンタ金属回転体（１２）は回動して金属コネクタ（１４）に近接する。
【００６２】
ステップ１１〜１３：特別なスクリーンクロス（２０）が第２の巻取りドラム（３９）を吊上げる。トーションスプリング（３７）のトルクが特別なスクリーンクロス（２０）による生じるトルク未満となる。カウンタ金属回転体（１２）は金属コネクタ（１４）に当接する。もしスクリーンクロスの生地を薄くしたい場合には、特に薄い生地（例：ＨＡＶＥＲＫＡＭＰ  ＯＰＡＬＦＩＬＭ（登録商標）  Ｆｉｌｍ）を選択して用いてもよい。
【００６３】
特別なスクリーンクロスの実施例２：色／図柄の異なるクロス生地
使用者は色／図柄・・・などに応じて、上部クロス２０１、中間クロス２０２及び下部クロス２０３として異なるクロス生地を選択して用いてもよい。
【００６４】
特別なスクリーンクロスの実施例３：日光の強さに応じて、光透過率の異なるクロスを自発的に選択する。
使用者は異なる光透過率に応じて、上部クロス２０１、中間クロス２０２及び下部クロス２０３として異なるクロスを選択して用いてもよい。例えば上部クロス２０１は１％、中間クロス２０２は３％、下部クロス２０３は１０％となる。また日光強度検出し、モータを所定位置にまで回動可能なシステム（例えばＳＭＩモータ、ＳＯＭＦＹＩＬＴモータ、ＬｏｎＷｏｒｋｓ制御システム、Ｍｅｃｈｏｓｈａｄｅ制御システムなど）を選択して用いてもよい。
【００６５】
【表１】
0003170590.tif 000003
【符号の説明】
【００６６】
１…第１の巻取りドラム
２…窓下枠
３…窓縦枠
４…一般的なスクリーン巻上げ装置のスクリーン
５…一般的なスクリーン巻上げ装置のボトムバー
１０…位置規制手段
１２…カウンタ金属回転体
１３…ナイロン支持回転体
１４…金属コネクタ
１７…ナイロン軸受
２０…特別なスクリーンクロス
３１…ねじ付き金属シャフト
３２…角柱状金属シャフト
３６…円柱状金属シャフト
３７…トーションスプリング
３９…第２の巻取りドラム
４９…右側屈曲金属板
５０…左側屈曲金属板
５１…カバー金属板
５２…Ｆ字状アルミ合金レール
５３…金属円錐体
５４…ナイロンシート
５５…アルミ合金ステー
５６…安全起毛シールド
５７…モール
【図１】
0003170590.tif 000004
【図２】
0003170590.tif 000005
【図３Ａ】
0003170590.tif 000006
【図３Ｂ】
0003170590.tif 000007
【図４】
0003170590.tif 000008
【図５】
0003170590.tif 000009
【図６】
0003170590.tif 000010
【図７】
0003170590.tif 000011
【図８】
0003170590.tif 000012
【図９】
0003170590.tif 000013
【図１０】
0003170590.tif 000014
【図１１】
0003170590.tif 000015
【図１２】
0003170590.tif 000016
【図１３】
0003170590.tif 000017
【図１４】
0003170590.tif 000018
【図１５】
0003170590.tif 000019
【図１６】
0003170590.tif 000020
【図１７】
0003170590.tif 000021
【図１８】
0003170590.tif 000022
【図１９】
0003170590.tif 000023
【図２０】
0003170590.tif 000024
【図２１】
0003170590.tif 000025
【図２２】
0003170590.tif 000026
【図２３】
0003170590.tif 000027
【図２４】
0003170590.tif 000028
【図２５】
0003170590.tif 000029
【図２６】
0003170590.tif 000030
【図２７】
0003170590.tif 000031
【図２８】
0003170590.tif 000032
【図２９】
0003170590.tif 000033
【図３０】
0003170590.tif 000034
【図３１】
0003170590.tif 000035
【図３２】
0003170590.tif 000036
【図３３】
0003170590.tif 000037
【図３３Ａ】
0003170590.tif 000038
【図３３Ｂ】
0003170590.tif 000039
【図３３Ｃ】
0003170590.tif 000040
【図３４】
0003170590.tif 000041
【図３４Ａ】
0003170590.tif 000042
【図３４Ｂ】
0003170590.tif 000043
【図３４Ｃ】
0003170590.tif 000044